(57)【要約】【課題】保管時の使い勝手がよく、低コストであり、使い終わった後の廃棄も簡単な記録ディスク収納ケースを提供すること。【解決手段】幅板部１１の一方の側辺に外板部１２と中板部１３が押し罫を介して順次連設し、他方の側辺に蓋板部１４が押し罫を介して連設しており、中板部１３が外板部１２に対して折り返され、両者が上下の接着領域１３ａで糊付けされて間にポケット状の収納部が形成されており、幅板部１１は板紙２枚と記録ディスク１枚を合わせた厚さに相当する幅になっている。一枚の板紙を折り曲げて接着するだけで製造でき、使い終えた後はそのまま紙として廃棄できる。また、ポケット状の収納部に記録ディスクＤを入れて蓋板部１４を折り曲げて重ねると、記録ディスクの脱落が防止され、幅板部１１を見出しとして利用することができる。【選択図】図１
2007210675.tif 000002
【特許請求の範囲】
【請求項１】
一枚の板紙からなり、幅板部の一方の側辺に外板部と中板部が押し罫を介して順次連設し、他方の側辺に蓋板部が押し罫を介して連設しており、外板部と中板部は略同じサイズで、中板部が外板部に対して折り返され、中板部と外板部が上下の接着領域で糊付けされてポケット状の収納部が形成されており、幅板部は板紙２枚と記録ディスク１枚を合わせた厚さに相当する幅になっており、蓋板部は外板部及び中板部と略同じサイズになっていることを特徴とする記録ディスク収納ケース。
【請求項２】
蓋板部の先端にミシン目線を介して所定幅の糊付け片が延設されていることを特徴とする請求項１に記載の記録ディスク収納ケース。
【請求項３】
中板部の先端における上下の接着領域の間に、折り線を介して折曲げフラップが延設されていることを特徴とする請求項１又は２に記載の記録ディスク収納ケース。
【請求項４】
中板部の先端付近に折曲げフラップを除去する開封手段が設けられていることを特徴とする請求項３に記載の記録ディスク収納ケース。
【請求項５】
中板部に帯状の取出しジッパー部分を設けるとともに、記録ディスクが収納部の入口から脱落しないように中板部と外板部が糊付けされていることを特徴とする請求項１又は２に記載の記録ディスク収納ケース。
【請求項６】
一枚の板紙からなり、幅板部の両側辺にそれぞれ外板部と中板部が順次押し罫を介して連設しており、外板部と中板部は略同じサイズで、各中板部が隣接する外板部に対して同じ側に折り返され、中板部と外板部がそれぞれ上下の接着領域で糊付けされてポケット状の収納部が２つ形成されており、幅板部は板紙４枚と記録ディスク２枚を合わせた厚さに相当する幅になっていることを特徴とする記録ディスク収納ケース。
【請求項７】
一方の収納部を形成する外板部と中板部がそれらの境界のところにミシン目線で区画される拡大部分を有しており、それらの拡大部分が互いに貼着されて収納部に所定幅の糊付け片が延設されていることを特徴とする請求項６に記載の記録ディスク収納ケース。
【請求項８】
中板部の先端における上下の接着領域の間に、折り線を介して折曲げフラップが延設されていることを特徴とする請求項６又は７に記載の記録ディスク収納ケース。
【請求項９】
中板部の先端付近に折曲げフラップを除去する開封手段が設けられていることを特徴とする請求項８に記載の記録ディスク収納ケース。
【請求項１０】
中板部に帯状の取出しジッパー部分を設けるとともに、記録ディスクが収納部の入口から脱落しないように中板部と外板部が糊付けされていることを特徴とする請求項６又は７に記載の記録ディスク収納ケース。
【発明の詳細な説明】
【技術分野】
【０００１】
本発明は、ＣＤ、ＤＶＤ等の円盤状をした記録ディスクを収納するための記録ディスク収納ケースに関するものである。
【背景技術】
【０００２】
従来、ＣＤ、ＤＶＤ等の記録ディスクを収納するケースとして、プラスチック製のものが一般的に使用されている。また、台紙にプラスチック部材を接着したタイプも利用されている。これらはいずれも、収納部とそれに連接した蓋部とからなり、収納部には固定用突起部が設けられている。
【特許文献１】特開平１０−５９４６１号公報
【発明の開示】
【発明が解決しようとする課題】
【０００３】
上記した従来の収納ケースは、紙製の単なる封筒状のケースに比べると、背の部分に幅があり、棚の上や容器の中に並べた時に背の部分を見出しとして活用できることから、保管する際に使い勝手がよいという利点がある。しかしながら、紙製のものに比べると、やはりコストが高いという問題があり、またプラスチックは簡単に廃棄できないという問題がある。特に、台紙とプラスチック部材からなるタイプのものは廃棄する際に分別する必要があり、余計な手間がかかる。
【０００４】
本発明は、このような問題点に鑑みてなされたものであり、その目的とするところは、保管時の使い勝手がよく、低コストであり、使い終わった後の廃棄も簡単な記録ディスク収納ケースを提供することにある。
【課題を解決するための手段】
【０００５】
請求項１に記載の発明である記録ディスク収納ケースは、一枚の板紙からなり、幅板部の一方の側辺に外板部と中板部が押し罫を介して順次連設し、他方の側辺に蓋板部が押し罫を介して連設しており、外板部と中板部は略同じサイズで、中板部が外板部に対して折り返され、中板部と外板部が上下の接着領域で糊付けされてポケット状の収納部が形成されており、幅板部は板紙２枚と記録ディスク１枚を合わせた厚さに相当する幅になっており、蓋板部は外板部及び中板部と略同じサイズになっていることを特徴とする。
【０００６】
請求項２に記載の発明である記録ディスク収納ケースは、請求項１に記載の記録ディスク収納ケースにおいて、蓋板部の先端にミシン目線を介して所定幅の糊付け片が延設されていることを特徴とする。
【０００７】
請求項３に記載の発明である記録ディスク収納ケースは、請求項１又は２に記載の記録ディスク収納ケースにおいて、中板部の先端における上下の接着領域の間に、折り線を介して折曲げフラップが延設されていることを特徴とする。
【０００８】
請求項４に記載の発明である記録ディスク収納ケースは、請求項３に記載の記録ディスク収納ケースにおいて、中板部の先端付近に折曲げフラップを除去する開封手段が設けられていることを特徴とする。
【０００９】
請求項５に記載の発明である記録ディスク収納ケースは、請求項１又は２に記載の記録ディスク収納ケースにおいて、中板部に帯状の取出しジッパー部分を設けるとともに、記録ディスクが収納部の入口から脱落しないように中板部と外板部が糊付けされていることを特徴とする。
【００１０】
請求項６に記載の発明である記録ディスク収納ケースは、一枚の板紙からなり、幅板部の両側辺にそれぞれ外板部と中板部が順次押し罫を介して連設しており、外板部と中板部は略同じサイズで、各中板部が隣接する外板部に対して同じ側に折り返され、中板部と外板部がそれぞれ上下の接着領域で糊付けされてポケット状の収納部が２つ形成されており、幅板部は板紙４枚と記録ディスク２枚を合わせた厚さに相当する幅になっていることを特徴とする。
【００１１】
請求項７に記載の発明である記録ディスク収納ケースは、請求項６に記載の記録ディスク収納ケースにおいて、一方の収納部を形成する外板部と中板部がそれらの境界のところにミシン目線で区画される拡大部分を有しており、それらの拡大部分が互いに貼着されて収納部に所定幅の糊付け片が延設されていることを特徴とする。
【００１２】
請求項８に記載の発明である記録ディスク収納ケースは、請求項６又は７に記載の記録ディスク収納ケースにおいて、中板部の先端における上下の接着領域の間に、折り線を介して折曲げフラップが延設されていることを特徴とする。
【００１３】
請求項９に記載の発明である記録ディスク収納ケースは、請求項８に記載の記録ディスク収納ケースにおいて、中板部の先端付近に折曲げフラップを除去する開封手段が設けられていることを特徴とする。
【００１４】
請求項１０に記載の発明である記録ディスク収納ケースは、請求項６又は７に記載の記録ディスク収納ケースにおいて、中板部に帯状の取出しジッパー部分を設けるとともに、記録ディスクが収納部の入口から脱落しないように中板部と外板部が糊付けされていることを特徴とする。
【発明の効果】
【００１５】
本発明の記録ディスク収納ケースは、一枚の板紙を折り曲げて接着するだけで製造できるので、低いコストで供給することができ、使い終えた後はそのまま紙として廃棄することができる。そして、１枚収納タイプでは、収納部に記録ディスクを入れて蓋板部を折り曲げて重ねると、また、２枚収納タイプでは、両方の収納部に記録ディスクを入れて両者を折り曲げて重ねると、いずれも記録ディスクの脱落が防止される状態となり、しかも幅板部が背の部分に位置するので、その幅板部を見出しとして利用できる。したがって、保管時の使い勝手は従来のプラスチック製のケースの場合と同様なものとなる。
【００１６】
そして、１枚収納タイプでは蓋板部の先端に糊付け片を延設しておくことにより、２枚収納タイプでは収納部に糊付け片を延設しておくことにより、この糊付け片のところで本や雑誌などの書籍に綴じ込むことができる。
【００１７】
また、上記構成の記録ディスク収納ケースにおいて、中板部の先端における上下の接着領域の間に、折り線を介して折曲げフラップを延設したものでは、この折曲げフラップを外板部と記録ディスクの間に差し込むことで、記録ディスクの盗難防止を図ることができ、さらに、中板部の先端付近に開封手段を設けておくことにより、折曲げフラップを除去して収納部の中の記録ディスクを取り出すことができる。
【００１８】
また、上記構成の記録ディスク収納ケースにおいて、中板部に帯状の取出しジッパー部を設けるとともに、記録ディスクが収納部の入口から脱落しないように中板部と外板部を糊付けしたものでは、取出しジッパー部を破って開けない限り、収納部の記録ディスクを取り出せないので、店頭における盗難防止効果が大きいという利点がある。
【発明を実施するための最良の形態】
【００１９】
図１は本発明に係る記録ディスク収納ケースの一例を収納状態で示す平面図、図２は図１に示す記録ディスク収納ケースを形成するブランクの展開図である。
【００２０】
図１に示す記録ディスク収納ケースＡ1 は図２に示す一枚のブランクＢ1 を組み立てて形成されるもので、記録ディスクを１枚収納するタイプである。このブランクＢ1 は、板紙からなる原反を打ち抜いて形成されたものであり、幅板部１１の一方の側辺に外板部１２と中板部１３が押し罫ａ，ｂを介して順次連設し、他方の側辺に蓋板部１４が押し罫ｃを介して連設しており、外板部１２と中板部１３は略同じサイズで、蓋板部１４は外板部１２及び中板部１３と略同じサイズになっている。また、幅板部１１は板紙２枚と記録ディスク１枚を合わせた厚さに相当する幅になっている。なお、外板部１２と中板部１３の上下を横断する押し罫ｄ，ｅは、外板部１２と中板部１３の上下にそれぞれ接着領域１２ａ，１３ａを区画するために設けたものであって、必ずしも必要なものではない。
【００２１】
ブランクＢ1 を組み立てるには、外板部１２と中板部１３のいずれかの側の接着領域１２ａ，１３ａに糊を塗布してから、中板部１３を押し罫ｂのところで外板部１２に対して折り返し、両者を上下の接着領域１２ａ，１３ａを糊付けする。これにより、外板部１２と中板部１３の間にポケット状の収納部が形成される。しかる後、図１に示すように、この収納部に記録ディスクＤを入れる。
【００２２】
この記録ディスク収納ケースＡ1 は、記録ディスクを入れない状態で供給することも可能である。この場合、予め所定の印刷を施したものを供給してもよいし、購入者が使用する時にプリンターにかけて所望の絵柄をプリントするようにしてもよい。
【００２３】
このようにして作製された記録ディスク収納ケースＡ1 は、押し罫ａ，ｃのところで幅板部１１と蓋板部１４を直角に折り曲げて蓋板部１４を収納部に重ねると、収納部の入口が塞がれるので記録ディスクＤの脱落が防止される。また、幅板部１１が背の部分に位置するので、ここに記録ディスクＤの内容を表示する文字等を表示しておけば、並べたときに幅板部１１の部分が見出しとして利用できる。そして、ケースとして繰り返し使用することができるものであり、また全体が紙製であるので、簡単に廃棄することができる。
【００２４】
図３は図１に示す記録ディスク収納ケースの変形例を示す平面図、図４は図３に示す記録ディスク収納ケースを形成するブランクの展開図である。
【００２５】
図３に示す記録ディスク収納ケースＡ2 は図４に示す一枚のブランクＢ2 を組み立てて形成されるもので、このブランクＢ2 は、図２のブランクＢ1 と比べると、蓋板部１４の先端に切取り用のミシン目線ｆを介して所定幅の糊付け片１５が延設されている点が異なっている。この糊付け片１５は、記録ディスク収納ケースＡ2 を雑誌や本などの書籍に綴じ込む際に使用される。このタイプの記録ディスク収納ケースＡ2 を書籍に綴じ込む場合、綴じ込んでから断裁するので、通常のプラスチックケースと同じサイズにするには、天地のいずれかに断裁のための余白を考慮する必要がある。
【００２６】
図５は本発明に係る記録ディスク収納ケースの別の例を収納状態で示す平面図、図６は図５に示す記録ディスク収納ケースを形成するブランクの展開図である。
【００２７】
図５に示す記録ディスク収納ケースＡ3 は図６に示す一枚のブランクＢ3 を組み立てて形成されるもので、記録ディスクを１枚収納するタイプである。このブランクＢ3 は、板紙からなる原反を打ち抜いて形成されたものであり、基本的な部分は図４に示したブランクＢ2 と同じである。すなわち、幅板部１１の一方の側辺に外板部１２と中板部１３が押し罫ａ，ｂを介して順次連設し、他方の側辺に蓋板部１４が押し罫ｃを介して連設しており、外板部１２と中板部１３は略同じサイズで、蓋板部１４も外板部１２及び中板部１３と略同じサイズになっており、幅板部１１は板紙２枚と記録ディスク１枚を合わせた厚さに相当する幅になっている。また、外板部１２と中板部１３の上下を横断する押し罫ｄ，ｅは、外板部１２と中板部１３の上下にそれぞれ接着領域１２ａ，１３ａを区画するために設けたものであって、必ずしも必要なものではない点も同じである。また、蓋板部１４の先端に切取り用のミシン目線ｆを介して所定幅の糊付け片１５が延設されている。
【００２８】
そして、このブランクＢ3 では、中板部１３の先端における上下の接着領域１３ａの間に、折り目線ｇを介して折曲げフラップ１６が延設されている。さらに、中板部１３の先端付近には折曲げフラップ１６を除去する開封手段が設けられている。ここでは、図示のように、先端に平行な帯状のジッパー部分１７と、その上下端から中板部１３の先端に至る２つの「く」の字状の切込み線ｈとにより開封手段が構成されている。
【００２９】
また、このブランクＢ3 では、記録ディスク収納ケースＡ3 を雑誌や本などの書籍に綴じ込むため、蓋板部１４の先端に切取り用のミシン目線ｆを介して所定幅の糊付け片１５を延設しているが、綴じ込む用途以外では糊付け片１５は省略すればよい。そして、このような記録ディスク収納ケースＡ3 を書籍に綴じ込む場合、通常のプラスチックケースと同じサイズにするには、先に説明したのと同様、天地のいずれかに断裁のための余白を考慮する必要がある。
【００３０】
ブランクＢ3 を組み立てるには、先のブランクＢ1 の場合と同様、外板部１２と中板部１３のいずれかの側の接着領域１２ａ，１３ａに糊を塗布してから、中板部１３を押し罫ｂのところで外板部１２に対して折り返し、両者を上下の接着領域１２ａ，１３ａで糊付けする。これにより、外板部１２と中板部１３の間にポケット状の収納部が形成される。そして、この収納部に記録ディスクＤを入れた後、折曲げフラップ１６を外板部１２と記録ディスクＤの間に差し込んで図５に示す収納状態とする。この時、折曲げフラップ１６の角を図示のように丸くしておくことで差し込みやすくなる。また、収納部の入口付近を糊付けしないでおくことで、さらに差し込みやすくなる。
【００３１】
このようにして作製された記録ディスク収納ケースＡ3 は、押し罫ａ，ｃのところで蓋板部１４を折り返して収納部に重ね、この折り曲げた状態で一つずつ雑誌や本などの書籍に綴じ込む。この場合、通常のプラスチックケースと同様なサイズであるので、Ａ４版より小さなサイズの本にも綴じ込むことができる。そして、綴じ込むに際しては、糊付け片１５のところでハガキと同じように綴じ込めばよく、特に中綴本に綴じ込む場合には、折丁に対して蓋板部１４の方を上にして貼着しておくことで、ギャザリングチェーン上での丁合時に収納部がばたつかないようにすればよい。
【００３２】
記録ディスク収納ケースＡ3 を書籍に綴じ込んだ状態では、折曲げフラップ１６により記録ディスクＤの盗難と脱落が防止されることになる。そして、購入者は、記録ディスク収納ケースＡ3 をミシン目線ｆのところで書籍から切り離した後、ジッパー部分１７を剥がして開口を作り、その開口から切込み線ｈのところを破って折曲げフラップ１６を除去することにより収納部の中の記録ディスクＤを取り出すことができる。
【００３３】
また、このタイプの記録ディスク収納ケースＡ3 も、押し罫ａ，ｃのところで幅板部１１と蓋板部１４を直角に折り曲げて蓋板部１４を収納部に重ねると、幅板部１１が背の部分に位置するので、ここに記録ディスクＤの内容を表示する文字等を表示しておけば、並べたときに幅板部１１の部分が見出しとして利用できる。そして、開封後もケースとして繰り返し使用することができるものであり、また全体が紙製であるので、簡単に廃棄することができる。
【００３４】
図７は本発明に係る記録ディスク収納ケースのさらに別の例を収納状態で示す平面図、図８は図７に示す記録ディスク収納ケースを形成するブランクの展開図である。
【００３５】
図７に示す記録ディスク収納ケースＡ4 は図８に示す一枚のブランクＢ4 を組み立てて形成されるもので、記録ディスクを１枚収納するタイプである。このブランクＢ4 は、板紙からなる原反を打ち抜いて形成されたものであり、基本的な部分は図４に示したブランクＢ2 と同じである。すなわち、幅板部１１の一方の側辺に外板部１２と中板部１３が押し罫ａ，ｂを介して順次連設し、他方の側辺に蓋板部１４が押し罫ｃを介して連設しており、外板部１２と中板部１３は略同じサイズで、蓋板部１４も外板部１２及び中板部１３と略同じサイズになっており、幅板部１１は板紙２枚と記録ディスク１枚を合わせた厚さに相当する幅になっている。また、外板部１２と中板部１３の上下を横断する押し罫ｄ，ｅは、外板部１２と中板部１３の上下にそれぞれ接着領域１２ａ，１３ａを区画するために設けたものであって、必ずしも必要なものではない点も同じである。また、蓋板部１４の先端に切取り用のミシン目線ｆを介して所定幅の糊付け片１５が延設されている。
【００３６】
そして、このブランクＢ4 は、中板部１３の先端付近に帯状の取出しジッパー部分１８が設けられるとともに、記録ディスクＤが収納部の入口から脱落しないように外板部１２と中板部１３が糊付けされるようになっている。図示の例では、収納部の入口付近で接着領域１２ａ，１３ａを内側に拡大することで記録ディスクＤの脱落を防止している。このように、記録ディスクＤが収納部から出ないようにするのはもちろん、取出しジッパー部分１８に掛からないように糊を塗布することが必要である。
【００３７】
また、このブランクＢ4 では、記録ディスク収納ケースＡ4 を雑誌や本などの書籍に綴じ込むため、蓋板部１４の先端に切取り用のミシン目線ｆを介して所定幅の糊付け片１５を延設しているが、綴じ込む用途以外では糊付け片１５は省略すればよい。そして、このような記録ディスク収納ケースＡ4 を書籍に綴じ込む場合、通常のプラスチックケースと同じサイズにするには、先に説明したのと同様、天地のいずれかに断裁のための余白を考慮する必要がある。
【００３８】
ブランクＢ4 を組み立てるには、外板部１２と中板部１３のいずれかの側の接着領域１２ａ，１３ａに糊を塗布してから、外板部１２の上に記録ディスクＤをセットし、中板部１３を押し罫ｂのところで外板部１２に対して折り返し、記録ディスクＤを挟み込んだ状態で両者を上下の接着領域１２ａ，１３ａで糊付けする。これにより、図７に示す収納状態とする。
【００３９】
このようにして作製された記録ディスク収納ケースＡ4 は、押し罫ａ，ｃのところで蓋板部１４を折り返して収納部に重ね、この折り曲げた状態で一つずつ雑誌や本などの書籍に綴じ込む。この場合、通常のプラスチックケースと同様なサイズであるので、Ａ４版より小さなサイズの本にも綴じ込むことができる。そして、綴じ込むに際しては、糊付け片１５のところでハガキと同じように綴じ込めばよく、特に中綴本に綴じ込む場合には、折丁に対して蓋板部１４の方を上にして貼着しておくことで、ギャザリングチェーン上での丁合時に収納部がばたつかないようにすればよい。
【００４０】
記録ディスク収納ケースＡ4 を書籍に綴じ込んだ状態では、接着領域１２ａ，１３ａの拡大部分により記録ディスクＤの盗難と脱落が防止されることになる。そして、購入者は、記録ディスク収納ケースＡ3 をミシン目線ｆのところで書籍から切り離した後、ジッパー部分１８を剥がして開口を作り、その開口から収納部の中の記録ディスクＤを取り出すことができる。
【００４１】
また、このタイプの記録ディスク収納ケースＡ4 も、押し罫ａ，ｃのところで幅板部１１と蓋板部１４を直角に折り曲げて蓋板部１４を収納部に重ねると、幅板部１１が背の部分に位置するので、ここに記録ディスクＤの内容を表示する文字等を表示しておけば、並べたときに幅板部１１の部分が見出しとして利用できる。そして、開封後もケースとして繰り返し使用することができるものであり、また全体が紙製であるので、簡単に廃棄することができる。
【００４２】
図９は本発明に係る記録ディスク収納ケースの一例を収納状態で示す平面図、図１０は図９に示す記録ディスク収納ケースを形成するブランクの展開図である。
【００４３】
図９に示す記録ディスク収納ケースＡ5 は図６に示す一枚のブランクＢ5 を組み立てて形成されるもので、記録ディスクを２枚収納するタイプである。このブランクＢ5 は、板紙からなる原反を打ち抜いて形成されたものであり、幅板部２１の一方の側辺に外板部２２と中板部２３が押し罫ａ，ｂを介して順次連設し、他方の側辺にも外板部２４と中板部２５が押し罫ｃ，ｄを介して順次連設しており、外板部２２，２４と中板部２３，２５は略同じサイズになっている。また、幅板部２１は板紙４枚と記録ディスク２枚を合わせた厚さに相当する幅になっている。なお、外板部２２と中板部２３の上下を横断する押し罫ｅ，ｆは、外板部２２と中板部２３の上下にそれぞれ接着領域２２ａ，２３ａを区画するために、外板部２４と中板部２５の上下を横断する押し罫ｇ，ｈは、外板部２２と中板部２３の上下にそれぞれ接着領域２４ａ，２５ａを区画するために設けたものであって、これらは必ずしも必要なものではない。
【００４４】
ブランクＢ5 を組み立てるには、外板部２２と中板部２３のいずれかの側の接着領域２２ａ，２３ａに糊を塗布してから、中板部２３を押し罫ｂのところで外板部２２に対して折り返し、両者を上下の接着領域２２ａ，２３ａで貼り合わせる。これにより、外板部２２と中板部２３の間にポケット状の収納部が形成される。また、外板部２４と中板部２５のいずれかの側の接着領域２４ａ，２５ａに糊を塗布してから、中板部２４を押し罫ｄのところで外板部２５に対して折り返し、両者を上下の接着領域２４ａ，２５ａで貼り合わせる。これにより、外板部２４と中板部２５の間にポケット状の収納部が形成される。しかる後、図９に示すように、これらの収納部にそれぞれ記録ディスクＤを入れる。
【００４５】
この記録ディスク収納ケースＡ5 は、記録ディスクを入れない状態で供給することも可能である。この場合、予め所定の印刷を施したものを供給してもよいし、購入者が使用する時にプリンターにかけて所望の絵柄をプリントするようにしてもよい。
【００４６】
このようにして作製された記録ディスク収納ケースＡ5 は、押し罫ａ，ｃのところで幅板部２１に対して外板部２２，２４をそれぞれ直角に折り曲げて収納部同士を重ねると、双方の収納部の入口が塞がれるので記録ディスクＤの脱落が防止される。また、幅板部２１が背の部分に位置するので、ここに記録ディスクＤの内容を表示する文字等を表示しておけば、並べたときに幅板部２１の部分が見出しとして利用できる。そして、ケースとして繰り返し使用することができるものであり、また全体が紙製であるので、簡単に廃棄することができる。
【００４７】
図１１は図９に示す記録ディスク収納ケースの変形例を示す平面図、図１２は図１１に示す記録ディスク収納ケースを形成するブランクの展開図である。
【００４８】
図１１に示す記録ディスク収納ケースＡ6 は図１２に示す一枚のブランクＢ6 を組み立てて形成されるもので、このブランクＢ6 は、図１０のブランクＢ5 と比べると、一方の収納部を形成する外板部２４と中板部２５がそれらの境界のところにミシン目線ｍ，ｎで区画される拡大部分２４ｂ，２５ｂを有している点が異なっている。これらの拡大部分２４ｂ，２５ｂは互いに貼着されて所定幅の糊付け片２６を形成するためのもので、記録ディスク収納ケースを雑誌や本などの書籍に綴じ込む際に使用される。すなわち、外板部２４と中板部２５を上下の接着領域２４ａ，２５ａで貼り合わせる際に、拡大部分２４ｂ，２５ｂのいずれかの側にも糊を塗布して互いに貼り合わせることで、外板部２４と中板部２５の間にポケット状の収納部が形成されるとともに、一方の収納部に所定幅の糊付け片２６が形成される。このタイプの記録ディスク収納ケースＡ6 を書籍に綴じ込む場合、綴じ込んでから断裁するので、通常のプラスチックケースと同じサイズにするには、天地のいずれかに断裁のための余白を考慮する必要がある。
【００４９】
図１３は本発明に係る記録ディスク収納ケースの別の例を収納状態で示す平面図、図１４は図１３に示す記録ディスク収納ケースを形成するブランクの展開図である。
【００５０】
図１３に示す記録ディスク収納ケースＡ7 は図１４に示す一枚のブランクＢ7 を組み立てて形成されもので、記録ディスクを２枚収納するタイプである。このブランクＢ7 は、板紙からなる原反を打ち抜いて形成されたものであり、基本的な部分は図１２のブランクＢ6 と同じである。すなわち、幅板部２１の一方の側辺に外板部２２と中板部２３が押し罫ａ，ｂを介して順次連設し、他方の側辺にも外板部２４と中板部２５が押し罫ｃ，ｄを介して順次連設しており、外板部２２，２４と中板部２３，２５は略同じサイズになっている。また、幅板部２１は板紙４枚と記録ディスク２枚を合わせた厚さに相当する幅になっている。また、外板部２２と中板部２３の上下を横断する押し罫ｅ，ｆは、外板部２２と中板部２３の上下にそれぞれ接着領域２２ａ，２３ａを区画するために、外板部２４と中板部２５の上下を横断する押し罫ｇ，ｈは、外板部２２と中板部２３の上下にそれぞれ接着領域２４ａ，２５ａを区画するために設けたものであって、これらは必ずしも必要なものではない点も同じである。そして、一方の収納部を形成する外板部２４と中板部２５がそれらの境界のところにミシン目線ｍ，ｎで区画される拡大部分２４ｂ，２５ｂを有しており、これらの拡大部分２４ｂ，２５ｂは互いに貼着されて所定幅の糊付け片２６を形成するようになっている。
【００５１】
そして、このブランクＢ7 では、中板部２３の先端における上下の接着領域２３ａの間に、折り目線ｉを介して折曲げフラップ２７が延設されている。さらに、中板部２３の先端付近には折曲げフラップ２７を除去する開封手段が設けられており、ここでは、図示のように、先端に平行なジッパー部分２８と、その上下端から中板部２３の先端に至る２つの「く」の字状の切込み線ｊとにより開封手段が構成されている。また、中板部２５の先端における上下の接着領域２５ａの間に、折り目線ｋを介して折曲げフラップ２９が延設されている。さらに、中板部２５の先端付近には折曲げフラップ２９を除去する開封手段が設けられており、ここでは、図示のように、先端に平行なジッパー部分３０と、その上下端から中板部２５の先端に至る２つの「く」の字状の切込み線ｌとにより開封手段が構成されている。
【００５２】
また、このブランクＢ7 では、記録ディスク収納ケースＡ7 を雑誌や本などの書籍に綴じ込むため、一方の収納部を形成する外板部２４と中板部２５がそれらの境界のところにミシン目線ｍ，ｎで区画される拡大部分２４ｂ，２５ｂを有しているが、綴じ込む用途以外では拡大部分２４ｂ，２５ｂは省略すればよい。そして、このような記録ディスク収納ケースＡ7 を書籍に綴じ込む場合、通常のプラスチックケースと同じサイズにするには、前記したとおり、天地のいずれかに断裁のための余白を考慮する必要がある。
【００５３】
ブランクＢ7 を組み立てるには、先のブランクＢ5 の場合と同様、外板部２２と中板部２３のいずれかの側の接着領域２２ａ，２３ａに糊を塗布してから、中板部２３を押し罫ｂのところで外板部２２に対して折り返し、両者を上下の接着領域２２ａ，２３ａで貼り合わせる。これにより、外板部２２と中板部２３の間にポケット状の収納部が形成される。また、外板部２４と中板部２５のいずれかの側の接着領域２４ａ，２５ａに糊を塗布してから、中板部２４を押し罫ｄのところで外板部２５に対して折り返し、両者を上下の接着領域２４ａ，２５ａで貼り合わせる。この時、拡大部分２４ｂ，２５ｂのいずれかの側にも糊を塗布して互いに貼り合わせる。これにより、外板部２４と中板部２５の間にポケット状の収納部が形成されるとともに、一方の収納部に所定幅の糊付け片２６が形成される。そして、２つの収納部にそれぞれ記録ディスクＤを入れた後、折曲げフラップ２７を外板部２２と記録ディスクＤの間に、折曲げフラップ２９を外板部２４と記録ディスクＤの間にそれぞれ差し込んで図１３に示す収納状態とする。この時、折曲げフラップ２７，２９の角を図示のように丸くしておくことで、差し込みやすくなる。また、収納部の入口付近を糊付けしないでおくことで、さらに差し込みやすくなる。
【００５４】
このようにして作製された記録ディスク収納ケースＡ7 は、押し罫ａ，ｃのところで折り曲げて収納部同士を重ね合わせ、この折り曲げた状態で一つずつ雑誌や本などの書籍に綴じ込む。この場合、通常のプラスチックケースと同様なサイズであるので、Ａ４版より小さなサイズの本にも綴じ込むことができる。そして、綴じ込むに際しては、一方の収納部に延設された糊付け片２６のところでハガキと同じように綴じ込めばよく、特に中綴本に綴じ込む場合には、折丁に対して糊付け片２６のある方を上にして貼着しておくことで、ギャザリングチェーン上での丁合時に収納部がばたつかないようにすればよい。
【００５５】
記録ディスク収納ケースＡ7 を書籍に綴じ込んだ状態では、折曲げフラップ２７，２９により記録ディスクＤの盗難と脱落が防止されることになる。そして、購入者は、記録ディスク収納ケースＡ7 をミシン目線ｍ，ｎのところで書籍から切り離した後、ジッパー部分２８，３０を剥がして開口を作り、その開口から切込み線ｊ，ｌのところを破って折曲げフラップ２７，２９を除去することによりそれぞれの収納部の中の記録ディスクＤを取り出すことができる。
【００５６】
また、このタイプの記録ディスク収納ケースＡ7 も、押し罫ａ，ｃのところで折り曲げて収納部同士を重ねると、幅板部２１が背の部分に位置するので、ここに記録ディスクＤの内容を表示する文字等を表示しておけば、並べたときに幅板部２１の部分が見出しとして利用できる。そして、開封後もケースとして繰り返し使用することができるものであり、また全体が紙製であるので、簡単に廃棄することができる。
【００５７】
図１５は本発明に係る記録ディスク収納ケースのさらに別の例を収納状態で示す平面図、図１６は図１５に示す記録ディスク収納ケースを形成するブランクの展開図である。
【００５８】
図１５に示す記録ディスク収納ケースＡ8 は図１６に示す一枚のブランクＢ8 を組み立てて形成されるもので、記録ディスクを２枚収納するタイプである。このブランクＢ8 は、板紙からなる原反を打ち抜いて形成されたものであり、基本的な部分は図１２に示したブランクＢ6 と同じである。すなわち、幅板部２１の一方の側辺に外板部２２と中板部２３が押し罫ａ，ｂを介して順次連設し、他方の側辺にも外板部２４と中板部２５が押し罫ｃ，ｄを介して順次連設しており、外板部２２，２４と中板部２３，２５は略同じサイズになっている。また、幅板部２１は板紙４枚と記録ディスク２枚を合わせた厚さに相当する幅になっている。また、外板部２２と中板部２３の上下を横断する押し罫ｅ，ｆは、外板部２２と中板部２３の上下にそれぞれ接着領域２２ａ，２３ａを区画するために、外板部２４と中板部２５の上下を横断する押し罫ｇ，ｈは、外板部２２と中板部２３の上下にそれぞれ接着領域２４ａ，２５ａを区画するために設けたものであって、これらは必ずしも必要なものではない点も同じである。また、一方の収納部を形成する外板部２４と中板部２５がそれらの境界のところにミシン目線ｍ，ｎで区画される拡大部分２４ｂ，２５ｂを有しており、これらの拡大部分２４ｂ，２５ｂは互いに貼着されて所定幅の糊付け片２６を形成するようになっている。
【００５９】
そして、このブランクＢ8 は、一方の中板部２３の先端付近に帯状の取出しジッパー部分３１が設けられるとともに、記録ディスクＤが収納部の入口から脱落しないように外板部２２と中板部２３が糊付けされるようになっており、図示の例では、収納部の入口付近で接着領域２２ａ，２３ａを内側に拡大することで記録ディスクＤの脱落を防止している。また、他方の中板部２５の先端付近にも帯状の取出しジッパー部分３２が設けられるとともに、記録ディスクＤが収納部の入口から脱落しないように外板部２４と中板部２５が糊付けされるようになっており、図示の例では、収納部の入口付近で接着領域２４ａ，２５ａを内側に拡大することで記録ディスクＤの脱落を防止している。このように、記録ディスクＤが収納部から出ないようにするのはもちろん、取出しジッパー部分３１，３２に掛からないように糊を塗布することが必要である。
【００６０】
また、このブランクＢ8 では、記録ディスク収納ケースＡ8 を雑誌や本などの書籍に綴じ込むため、一方の収納部を形成する外板部２４と中板部２５がそれらの境界のところにミシン目線ｍ，ｎで区画される拡大部分２４ｂ，２５ｂを有しているが、綴じ込む用途以外では拡大部分２４ｂ，２５ｂは省略すればよい。そして、このような記録ディスク収納ケースＡ8 を書籍に綴じ込む場合、通常のプラスチックケースと同じサイズにするには、前記したとおり、天地のいずれかに断裁のための余白を考慮する必要がある。
【００６１】
ブランクＢ8 を組み立てるには、外板部２２と中板部２３のいずれかの側の接着領域２２ａ，２３ａに糊を塗布してから、外板部２２の上に記録ディスクＤをセットし、中板部２３を押し罫ｂのところで外板部１２に対して折り返し、記録ディスクＤを挟み込んだ状態で両者を上下の接着領域２２ａ，２３ａで糊付けする。また、外板部２４の接着領域２４ａと拡大部分２４ｂに糊を塗布するか、または中板部２５の接着領域２５ａと拡大部分２５ｂに糊を塗布してから、外板部２４の上に記録ディスクＤをセットし、中板部２５を押し罫ｄのところで外板部２４に対して折り返し、記録ディスクＤを挟み込んだ状態で両者を上下の接着領域２４ａ，２５ａと拡大部分２４ｂ，２５ｂとで糊付けする。これにより、図１５に示す収納状態とする。
【００６２】
このようにして作製された記録ディスク収納ケースＡ8 は、押し罫ａ，ｃのところで折り曲げて収納部同士を重ね合わせ、この折り曲げた状態で一つずつ雑誌や本などの書籍に綴じ込む。この場合、通常のプラスチックケースと同様なサイズであるので、Ａ４版より小さなサイズの本にも綴じ込むことができる。そして、綴じ込むに際しては、一方の収納部に延設された糊付け片２６のところでハガキと同じように綴じ込めばよく、特に中綴本に綴じ込む場合には、折丁に対して糊付け片２６のある方を上にして貼着しておくことで、ギャザリングチェーン上での丁合時に収納部がばたつかないようにすればよい。
【００６３】
記録ディスク収納ケースＡ8 を書籍に綴じ込んだ状態では、接着領域２２ａ，２３ａの拡大部分により一方の記録ディスクＤの盗難と脱落が防止され、接着領域２４ａ，２５ａの拡大部分によりもう一方の記録ディスクＤの盗難と脱落が防止されることになる。そして、購入者は、記録ディスク収納ケースＡ8 をミシン目線ｍ，ｎのところで書籍から切り離した後、ジッパー部分３１，３２を剥がして開口を作り、それらの開口からそれぞれの収納部の中の記録ディスクＤを取り出すことができる。
【００６４】
また、このタイプの記録ディスク収納ケースＡ8 も、押し罫ａ，ｃのところで折り曲げて収納部同士に重ねると、幅板部２１が背の部分に位置するので、ここに記録ディスクＤの内容を表示する文字等を表示しておけば、並べたときに幅板部２１の部分が見出しとして利用できる。そして、開封後もケースとして繰り返し使用することができるものであり、また全体が紙製であるので、簡単に廃棄することができる。
【００６５】
以上、８つの具体例により本発明の記録ディスク収納ケースについて詳細に説明してきたが、本発明による記録ディスク収納ケースは、上記実施の形態に何ら限定されるものではなく、本発明の趣旨を逸脱しない範囲において種々の変更が可能であることは当然のことである。
【００６６】
例えば、本発明の記録ディスク収納ケースは、上記した例では矩形状をしているが、コーナー部分に丸みを持たせた形状にしてもよい。
【図面の簡単な説明】
【００６７】
【図１】本発明に係る記録ディスク収納ケースの一例を収納状態で示す平面図である。
【図２】図１に示す記録ディスク収納ケースを形成するブランクの展開図である。
【図３】図１に示す記録ディスク収納ケースの変形例を示す平面図である。
【図４】図３に示す記録ディスク収納ケースを形成するブランクの展開図である。
【図５】本発明に係る記録ディスク収納ケースの別の例を収納状態で示す平面図である。
【図６】図５に示す記録ディスク収納ケースを形成するブランクの展開図である。
【図７】本発明に係る記録ディスク収納ケースのさらに別の例を収納状態で示す平面図である。
【図８】図７に示す記録ディスク収納ケースを形成するブランクの展開図である。
【図９】本発明に係る記録ディスク収納ケースの一例を収納状態で示す平面図である。
【図１０】図９に示す記録ディスク収納ケースを形成するブランクの展開図である。
【図１１】図９に示す記録ディスク収納ケースの変形例を示す平面図である。
【図１２】図１１に示す記録ディスク収納ケースを形成するブランクの展開図である。
【図１３】本発明に係る記録ディスク収納ケースの別の例を収納状態で示す平面図である。
【図１４】図１３に示す記録ディスク収納ケースを形成するブランクの展開図である。
【図１５】本発明に係る記録ディスク収納ケースのさらに別の例を収納状態で示す平面図である。
【図１６】図１５に示す記録ディスク収納ケースを形成するブランクの展開図である。
【符号の説明】
【００６８】
Ａ1 〜Ａ8   記録ディスク収納ケース
Ｂ1 〜Ｂ8   ブランク
Ｄ  記録ディスク
１１  幅板部
１２  外板部
１２ａ  接着領域
１３  中板部
１３ａ  接着領域
１４  蓋板部
１５  糊付け片
１６  折曲げフラップ
１７  ジッパー部分
１８  ジッパー部分
２１  幅板部
２２  外板部
２２ａ  接着領域
２３  中板部
２３ａ  接着領域
２４  外板部
２４ａ  接着領域
２４ｂ  拡大部分
２５  中板部
２５ａ  接着部分
２５ｂ  拡大領域
２６  糊付け片
２７  折曲げフラップ
２８  ジッパー部分
２９  折曲げフラップ
３０  ジッパー部分
３１  ジッパー部分
３２  ジッパー部分
【図１】
2007210675.tif 000003
【図２】
2007210675.tif 000004
【図３】
2007210675.tif 000005
【図４】
2007210675.tif 000006
【図５】
2007210675.tif 000007
【図６】
2007210675.tif 000008
【図７】
2007210675.tif 000009
【図８】
2007210675.tif 000010
【図９】
2007210675.tif 000011
【図１０】
2007210675.tif 000012
【図１１】
2007210675.tif 000013
【図１２】
2007210675.tif 000014
【図１３】
2007210675.tif 000015
【図１４】
2007210675.tif 000016
【図１５】
2007210675.tif 000017
【図１６】
2007210675.tif 000018